【事件の表示】
　平成　５年特許願第１３１０９２号「プラスチック製蓋材」拒絶査定不服審判事件〔平成　６年１１月１５日出願公開、特開平　６−３１６０４４〕について、次のとおり審決する。
【結　論】
　本件審判の請求は、成り立たない。
【理　由】
１．手続の経緯
　本願は、平成５年５月７日の出願であって、平成１４年１月２８日付けで拒絶の理由が通知され、平成１４年４月３日に意見書及び手続補正書が提出されたところ、平成１４年１２月１９日付けの補正の却下の決定により、当該平成１４年４月３日に提出された手続補正書でした明細書又は図面についての補正が却下されるとともに、平成１５年６月３０日付けで拒絶査定がなされ、その後、拒絶査定に対する審判が請求されるとともに、平成１５年９月４日付けで手続補正がなされたものである。
　
２．本願発明
　平成１４年４月３日付けの手続補正は、上記１．のとおり却下の決定がなされ、当該決定は確定しているから、本願の請求項１に係る発明（以下、「本願発明」という。）は、平成１５年９月４日付け手続補正書により補正された特許請求の範囲の請求項１に記載された、次の事項により特定されるとおりのものである。
　
「【請求項１】　最上層としてのポリカ−ボネ−ト層１、中間層としてのポリオレフィン層２、接着剤層３、エチレン−ビニルアルコ−ル共重合体層４、接着剤層３′、中間層としてのポリオレフィン層２′、および、最下層としてのポリオレフィンシ−ラント層５を順次に積層したことを特徴とするプラスチック製蓋材。」
　
３．引用刊行物に記載の事項
　原査定の拒絶の理由で引用した、本願出願前に国内において頒布された刊行物である引用例１（特開昭６３−７４６４１号公報）には、図面とともに次の事項が記載されている。
　
　引用例１
ア．「１．ａ）酸素遮断フィルム、及び
　ｂ）この酸素遮断フィルムに接着された第２のフィルム、
を含んでなり且つ積層物に堅固さと耐熱性を付加する重合体物質を含んでなる熱可塑性積層物。
　２．ａ）共押出しされた多層の高酸素遮断フィルム、及び
　ｂ）この高酸素遮断フィルムに接着された第２のフィルム、
を含んでなり且つ積層物に堅固さと耐熱性を付加しそしてポリエステル、ポリアミド、ポリプロピレン及びポリカーボネートからなる群から選択される重合体物質を含んでなる熱可塑性積層物。
　３．ａ）塩化ビニリデン共重合体及びエチレンビニルアルコール共重合体からなる群から選択される酸素不透過性重合体物質を含んでなる層を含む共押出しされた多層の高酸素遮断フィルム、及び
　ｂ）この高酸素遮断フィルムに接着された第２のフィルム、
を含んでなり且つ積層物に堅固さと耐熱性を付加しそしてポリエステル、ポリアミド、ポリプロピレン及びポリカーボネートからなる群から選択される重合体物質を含んでなる熱可塑性積層物。」（特許請求の範囲、第１〜３項）
イ．「３　発明の詳細な説明
　本発明は、熱可塑性包装フィルムに関し、更に特にふた材・・・への適用に有用な包装フィルムに関する。
　熱可塑性材料は時に食品の包装に使用されている。例えばマイクロ波オーブンを用いることにより・・・食品の包装は漸次普通になってきている。・・・
　そのような材料は良好な靭性と加熱サイクル中の昇温度に対する耐性とを兼ね備えていなければならない、更にそのような材料は・・・高い酸素遮断（ｂａｒｒｉｅｒ）特性を有すべきである。」（第２頁右上欄２〜１６行）
ウ．「本発明によれば、熱可塑性積層物は、酸素遮断フィルム及びこの酸素遮断フィルムに接着された第２のフィルム、そして更に積層物に堅固さと耐熱性を付加する重合体物質を含んでなる。
　本発明の他の観点によれば、熱可塑性積層物の製造法は、酸素遮断フィルムを共押出しし、そしてこの共押出しされたフィルムを、積層物に堅固さと耐熱性を付加する重合体物質を含んでなる第２のフィルムに接着させることを含む。」（第２頁右下欄１０〜１８行）
エ．「本明細書で用いる「ポリカーボネート」は、カーボネート基に結合して重合体物質を生成した２価又は多価のフェノールの基に関するものである。」（第３頁左上欄１９行から右上欄２行）
オ．「本明細書において、「耐熱性」とは、積層物の熱封性層よりも約５０°Ｆ高い融点を有する重合体材料を記述するために用いられる。耐熱性の好適な範囲は約２５０〜約５５０°Ｆの融点である。
　第１図は本発明の好適な具体例の概略的断面図である。
　本発明の好適な具体例の概略的断面図である第１図を参照すると、この具体例は外側のフィルム１２に積層された多層基材フィルム１０を含んでなる。
　基材フィルム１０は酸素遮断フィルム例えばエチレンビニルアルコール共重合体（ＥＶＯＨ）又は塩化ビニリデン共重合体の層１４を含む・・・
　遮断フィルム１４は、エチレン酢酸ビニル共重合体（ＥＶＡ）・・・を含んでなる結合層１８に対して重合体層１６によって接着される。・・・接着剤層１６はエチレン酢酸ビニル・・・或いは・・・低密度ポリエチレンに基づく接着剤・・・であってよい。
　層１８は基材フィルム１０を外側フィルム１２に結合させるための結合表面を提供する。
　遮断層１４は重合体接着剤層２０によって線状低密度ポリエチレン（ＬＬＤＰＥ）を含んでなる層２２に接着される。接着剤層２０の材料は接着剤層１６に同様であってもよい。・・・
　外側層２４は外側層１８と同様であってよいエチレン酢酸ビニル共重合体を含んでなる。・・・
　フィルム１２は配向した且つ熱固定のポリアミド例えば種々のナイロンのいずれか、更にはポリカーボネートであってもよい。」（第３頁右上欄６行〜第４頁左上欄４行、第１図参照）
カ．「熱封層として機能しうる外側層１８はエチレン酢酸ビニル共重合体以外の重合体物質を包含していてよい、これらの他の物質の例はエチレンアクリル酸メチル・・・線状低密度ポリエチレン、非常に低密度のポリエチレン・・・である。」（第４頁右上欄１０〜１６行）
　
４．対比・判断
　本願発明と引用例１に記載された発明との対比・検討
　引用例１には、上記ア〜カより、外側フィルム１２に積層された多層基材フィルム１０を含む熱可塑性積層物が記載され、基材フィルム１０は、結合層１８、接着剤層１６、酸素遮断フィルム例えばエチレンビニルアルコール共重合体（ＥＶＯＨ）の遮断層１４、接着剤層２０、線状低密度ポリエチレン（ＬＬＤＰＥ）を含む層２２、エチレン酢酸ビニル共重合体を含む外側層２４を積層したものであることが記載されている。
　また、引用例１には、外側フィルム１２としてポリカーボネートを用いること（上記オ）、結合層１８はエチレン酢酸ビニル共重合体（ＥＶＡ）を含む層であること（上記オ）、外側層２４はエチレン酢酸ビニル共重合体及び低密度のポリエチレン等を含み熱封層として機能しうる層であること（上記カ）、熱可塑性積層物はふた材の適用に有用であること（上記イ）が記載されているものと認められる。
　してみると、引用例１には、「ポリカーボネート層１２、エチレン酢酸ビニル共重合体層１８、接着剤層１６、エチレンビニルアルコール共重合体層１４、接着剤層２０、線状低密度ポリエチレン層２２、及びエチレン酢酸ビニル共重合体及び低密度のポリエチレン等を含む熱封層を順次積層した熱可塑性積層蓋材」の発明（以下、「引用例１に記載された発明」という。）が記載されていると認められる。
　そこで、本願発明（前者）と引用例１に記載された発明（後者）とを対比すると、後者における、「エチレン酢酸ビニル共重合体層１８」、「線状低密度ポリエチレン層２２」、「エチレン酢酸ビニル共重合体及び低密度のポリエチレン等を含む熱封層２４」、「熱可塑性積層蓋材」は、それぞれ前者における「中間層としてのポリオレフィン層２」、「中間層としてのポリオレフィン層２′」、「ポリオレフィンシ−ラント層５」、「プラスチック製蓋材」に相当することは明らかであり、また、通常シーラント層は最下層に積層されるから、両者は、
「最上層としてのポリカ−ボネ−ト層、中間層としてのポリオレフィン層、接着剤層、エチレン−ビニルアルコ−ル共重合体層、接着剤層、中間層としてのポリオレフィン層、および、最下層としてのポリオレフィンシ−ラント層を順次に積層したプラスチック製蓋材。」である点において一致し、差異がない。
　
　なお、この点について請求人は審判請求書において、引用例１記載の発明は、その実施例１に記載するように『ポリエステルフィルムと、ＥＶＡの第１層／ＬＤＰＥの第２層／ＥＶＡの第３層／サランの第４層／ＥＶＡの第５層／ＥＶＡの第６層とを共押出した基材フィルム』とを積層した熱可塑性積層物からなるものであり、本願の請求項１に係る発明の、『最上層としてのポリカ−ボネ−ト層１、中間層としてのポリオレフィン層２、接着剤層３、エチレン−ビニルアルコ−ル共重合体層４、接着剤層３′、中間層としてのポリオレフィン層２′、および、最下層としてのポリオレフィンシ−ラント層５を順次に積層すること』について何ら記載/示唆していないものである旨主張している。
　しかしながら、引用例１に記載された発明の把握にあたっては、その実施例に限られるものではなく、引用例１全体から把握される事項を含み得るものであり、そうすると、引用例１には、上記の「引用例１に記載された発明」が記載されていると認められるから、上記請求人の主張を採用することはできない。
　
　したがって、本願発明は、引用例１に記載された発明である。
　
５．むすび
　以上のとおり、本願発明は、引用例１に記載された発明であるから、特許法第２９条第１項第３号に規定する発明に該当し、特許を受けることができない。
　　
　よって、結論のとおり審決する。